(57)【要約】      （修正有）【課題】ハウス栽培やトンネル栽培において作物に日焼けが発生することを防止できる補助シートを提供する。【解決手段】ハウス栽培用のシートに被せられる補助シート１７であり、遮光率が１０〜４０％であり、波長２５０〜１１００ｎｍの光の平均透過率が５０〜９０％であり、不織布にて形成され、不織布の構成繊維の単糸繊度が３〜１０デシテックスであり、不織布の目付が１５〜３０ｇ/ｍ２であり、透過光曲線の吸光ピークが５７０〜７００ｎｍにあるように、不織布の構成繊維が青色に着色されている。【選択図】図１
2017063644.tif 000002
【特許請求の範囲】
【請求項１】
ハウス栽培用のシートに被せられる補助シートであって、遮光率が１０〜４０％であることを特徴とするハウス栽培用補助シート。
【請求項２】
波長２５０〜１１００ｎｍの光の平均透過率が５０〜９０％であることを特徴とする請求項１記載のハウス栽培用補助シート。
【請求項３】
不織布にて形成され、前記不織布の構成繊維の単糸繊度が３〜１０デシテックスであり、前記不織布の目付が１５〜３０ｇ/ｍ２であることを特徴とする請求項１または２記載のハウス栽培用補助シート。
【請求項４】
透過光曲線の吸光ピークが５７０〜７００ｎｍにあるように、不織布の構成繊維が青色に着色されていることを特徴とする請求項３記載のハウス栽培用補助シート。
【発明の詳細な説明】
【技術分野】
【０００１】
本発明はハウス栽培用補助シートに関する。
【背景技術】
【０００２】
農作物の栽培方法として、ハウス栽培やトンネル栽培が知られている（特許文献１）。いずれの栽培方法も、栽培地に支柱を設置し、複数の支柱に沿って透光性を有する樹脂製のシートを被せることによって、シートと地面との間に栽培用の空間を形成するものである。
【０００３】
シートとしては、塩化ビニル樹脂を原料とするフィルムが一般的に用いられる。
【０００４】
なお、本明細書では、「ハウス栽培」との語を、簡単のためにハウス栽培とトンネル栽培とを総称する用語として用いる。すなわち、本明細書において、「ハウス栽培」とは、特記しない限り「ハウス栽培」と「トンネル栽培」との両者を含むものとする。
【先行技術文献】
【特許文献】
【０００５】
【特許文献１】特開２０１４−５７５２４号公報、段落０００２
【発明の概要】
【発明が解決しようとする課題】
【０００６】
ところが、塩化ビニル樹脂にて形成されたフィルムを用いてハウス栽培を行うと、特に夏季において強い太陽光が透過し過ぎ、たとえばメロンをハウス栽培した場合には果実に日焼けが生じるという問題点がある。
【０００７】
そこで本発明は、このような問題点を解決して、ハウス栽培やトンネル栽培において作物に日焼けが発生することを防止できるようにすることを目的とする。
【課題を解決するための手段】
【０００８】
本発明の要旨は、以下のとおりである。
（１）ハウス栽培用のシートに被せられる補助シートであって、遮光率が１０〜４０％であることを特徴とするハウス栽培用補助シート。
【０００９】
（２）波長２５０〜１１００ｎｍの光の平均透過率が５０〜９０％であることを特徴とする（１）のハウス栽培用補助シート。
【００１０】
（３）不織布にて形成され、前記不織布の構成繊維の単糸繊度が３〜１０デシテックスであり、前記不織布の目付が１５〜３０ｇ/ｍ２であることを特徴とする（１）または（２）のハウス栽培用補助シート。
【００１１】
（４）透過光曲線の吸光ピークが５７０〜７００ｎｍにあるように、不織布の構成繊維が青色に着色されていることを特徴とする（３）のハウス栽培用補助シート。
【発明の効果】
【００１２】
本発明のハウス栽培用補助シートによると、太陽光の遮光率が１０〜４０％であるために、夏の太陽光が強い季節に同補助シートをハウス栽培用シートに被せることで、作物に直接到達する太陽光を弱め、かつシートを通して散乱光となった柔らかな太陽光を浴びせることができ、したがって作物に日焼けが生じることを防止できる。
【図面の簡単な説明】
【００１３】
【図１】本発明の実施の形態のハウス栽培用補助シートの使用例を示す図である。
【発明を実施するための形態】
【００１４】
図１において、１１は畑地であり、図示の例ではメロン１２の栽培に供されている。メロン１２は、トンネル栽培によって生育されている。すなわち畑地１１に弓形の支柱１３を複数設置し、これら複数の支柱１３に沿って樹脂フィルム製の長尺のシート１４を被せることによって、シート１４と地面１５との間に栽培用の空間１６が形成されている。シート１４の上には、補助シート１７が被せられている。
【００１５】
シート１４としては、透光性を有する樹脂製のフィルムが一般的に用いられる。このフィルムに用いられる樹脂としては、一般に、塩化ビニル樹脂などが挙げられる。フィルムの厚みは５０〜１５０μｍが適当である。
【００１６】
補助シート１７は、スパンボンド不織布などの不織布によって構成されていることが好適である。不織布の構成繊維は、ポリエステル樹脂、ポリオレフィン樹脂、ポリアミド樹脂などの熱可塑性樹脂にて形成することができる。そして構成繊維は、単糸繊度が３〜１０デシテックスであることが好適である。不織布は、その目付が１５〜３０ｇ/ｍ２であることが好適である。
【００１７】
補助シート１７は、遮光率が１０〜４０％であることが必要である。この範囲の遮光率を有することで、シート１４に被せて用いたときに、メロンなどの作物の日焼けを確実に防止することができる。
【００１８】
補助シート１７は、波長２５０〜１１００ｎｍの光の平均透過率が５０〜９０％であることが好適である。さらに、吸光ピークが５７０〜７００ｎｍにあると、赤色光を吸収して青色光を透過させることができるため、この青色光によってメロンなどの作物の生育を促進させることができる。また青色光を透過させることで、夏季以外の季節においても作物に到達する太陽光を夏型に近付けることができ、作物の生育に寄与することができる。
【００１９】
このような特性を有する不織布を得るためには、この不織布の構成繊維を青色に着色するとともに、上記の範囲の単糸繊度と目付とを有するようにすれば良い。
【００２０】
着色のための青色の色素としては、例えば、チオニンブルーＧＯ、アリザリンシアニングリーンＦ、キニザリングリーンＳＳ、ライトグリーンＳＦ黄、パテントブルーＮＡ、ギネアグリーンＢ、スダンブルーＢ、ナフトールブルーブラック、クチナシ青色素、クロロフィル、スピルリナ青等のエネルギー関連色素または食品もしくは化粧品用色素、ダイレクトスカイブルー５B、シリアススープラブルーＢＲＲ、ダイレクトファースターコイスブルーＧＬ、ダイレクトコッパーブルー２Ｂ、コプランチングリーンＧ、ダイレクトファーストブラックＤ、アシッドバイオレット５Ｂ、アリザリンダイレクトブルーＡ２Ｇ、アシイドサイアニン６Ｂ、アシッドサイアニン５Ｒ、アシッドサイアニングリーンＧ、アシッドファーストブラックＶＬＧ、カチオンブルーＧＲＬ、カチオンブルーＧＬＨ、カチオンネイビーブルーＲＬＨ、バットブルーＲＳＮ、バットブルーＢＣ、バットブリリアントグリーンＦＦＢ、ディスパースブルーＦＦＲ、ディスパースブルーグリーンＢ、ディスパースブルーＦＢ、ディスパースターコイスブルーＧＬ、ディスパースネイビーブルー２ＬＧ、ソルベントファーストブルーＨＦＬ、リアクティブブルー３Ｇ、リアクティブブルーＲ、リアクティブブルーＢＲ、リアクティブターコイスＧＦ、リアクティブブリリアントブルーＲ、アイゼンダイレクトスカイブルー５Ｂ、アイゼンプリムラターコイスブルーＧＬＨ、アイゼンプリムラキュプログリーンＧＨ、サンライトスープラグレイＣＧＬ等の染料が挙げられる。また、ジオキサジンバイオレット、チオインジゴマゼンダ、ビクトリアブルーレーキ、ビクトリアブルー６Ｇレーキ、フタロシアニンブルーＲ、フタロシアニンブルーＧ、フタロシアニンブルーＥ、無金属フタロシアニン、ファストスカイブルー、紺青、コバルトブルー群青、アルカリブルーＧ、インダスロンブルーなどの顔料が挙げられる。
【００２１】
不織布は、上記した色素を用いて染色、印刷などを施すことにより着色することができる。また、布帛を構成する繊維の原料となる樹脂に色素を練り込むことにより着色することもできる。
【００２２】
補助シート１７は、透過光曲線において、２８０〜４００ｎｍでの波長領域における平均透過率が４０〜９０％であることが好ましい。２８０〜４００ｎｍの波長領域とは、Ａ領域紫外線（ＵＶ−Ａ）およびＢ領域紫外線（ＵＶ−Ｂ）をいう。近年、オゾン層の減少により地上に到達する紫外線が増加しており、紫外線の影響として、作物の減収や葉焼け、土壌微生物の減少による農作物や植物の成長阻害などが起こっている。しかし、一方で、紫外線は少なくなり過ぎても昆虫などの行動が抑制されて、問題となるケースがあり、適正量の紫外線は必要である。よって、２８０〜４００ｎｍの波長領域における平均透過率は４０〜９０％であることが好ましく、５０〜８０％であることがより好ましい。
【００２３】
また補助シート１７は、上述のように目付が１５〜３０ｇ/ｍ２であり、したがって著しく軽量であるため、設置や除去を簡単に行うことができる。
【実施例】
【００２４】
以下の実施例、比較例における各種の評価は、下記の手法によって行った。
（１）ポリエステルの極限粘度〔η〕：フェノールと四塩化エタンとの等質量混合溶媒１００ｃｃに試料０．５ｇを溶解し、温度２０℃の条件で測定した。
【００２５】
（２）融点（℃）：パーキンエルマー社製の示差走査熱量計ＤＳＣ−７型を用い、昇温速度２０℃／分で測定した。
【００２６】
（３）ポリエチレンのメルトフローレート（ｇ／１０分）：ＪＩＳ  Ｋ  ６９２２に記載の方法により、温度１９０℃、荷重２１．１８Ｎの条件で測定した。
【００２７】
（４）光吸収ピーク：日立製作所  Ｕ−４０００分光光度計を用い、２５０〜１１００ｎｍ（光合成有効放射領域）での、透過光曲線の吸光ピーク波長（ｎｍ）を測定した。
【００２８】
（５）光の平均透過率（％）：日立製作所  Ｕ−４０００分光光度計で積分球付属装置を使用し、測定波長範囲２５０〜１１００ｎｍと２８０〜４００ｎｍの平均透過率を測定した。
【００２９】
（６）遮光率（％）：光電池照度計（東京光学機械社製、型番：ＳＰＩ５）を用い、試料の表面層（白色層）を光源側として、照度１万ルクス、光源から試料までの距離３００ｍｍの条件で、ＪＩＳ  Ｌ  １９１３に準じて測定した。
【００３０】
（実施例１）
極限粘度〔η〕０．７０、融点２６０℃のポリエチレンテレフタレートが芯部に配され、融点１３０℃、メルトフローレート２０ｇ／１０分のポリエチレンが鞘部に配された芯鞘型複合繊維（芯／鞘複合比は質量比で１／１）を構成繊維とする、単糸繊度６デシテックス、目付１８ｇ／ｍ２の青色色素原着のスパンボンド不織布を用意した。
【００３１】
青色色素原着の手法は、以下のものとした。すなわち、青色色素としてシアニンブルーとキナクリドンレッドの混合物（大日精化工業社製、商品名「ＰＥＳＭ２０９３９ブルー」）を用い、青色色素の添加量を、ポリエチレンテレフタレート１００質量部に対して１．２３質量部とした。
【００３２】
青色色素原着のスパンボンド不織布の吸光ピークは６２０ｎｍと６７０ｎｍとにあり、光の平均透過率は、波長２５０〜１１００ｎｍの範囲では８２％、波長２８０〜４００ｎｍの範囲では７０％であった。遮光率は２０％であった。
【００３３】
以上により得られた補助シートを用い、青森県五所川原市のメロントンネル栽培圃場にて、４月定植のアンデスメロンに対し、７月の収穫時から３〜４週間前より、塩化ビニル樹脂製のトンネルフィルムにおけるメロンの位置の上側に被せた。そうしたところ、収穫時には、上部に焼けの無いメロンを収穫することができた。
【００３４】
（実施例２）
実施例１と比べて、青色色素原着に代えて、芯部のポリエチレンテレフタレートとして樹脂中に酸化チタン０．４質量％含有するものを用いたことと、不織布の目付を１５ｇ／ｍ２としたこととを相違させた。そして、それ以外は実施例１と同じとして、白色の補助シートを得た。得られた補助シートの光の平均透過率は、波長２５０〜１１００ｎｍの範囲で８４％、波長２８０〜４００ｎｍの範囲では７３％であった。遮光率は１０％であった。
【００３５】
以上により得られた補助シートを用い、青森県五所川原市のメロントンネル栽培圃場にて、実施例１と同様にして４月定植のアンデスメロンに対し、７月の収穫時から３〜４週間前より、トンネルフィルムにおける作物の位置の上側に被せた。そうしたところ、収穫時には、上部に焼けの無いメロンを収穫することができた。
【００３６】
（実施例３）
実施例１と同じ補助シートを用い、岐阜県飛騨地方にて、雨除けハウス内のほうれん草の夏季栽培における簡易遮光資材として、発芽後にハウスの外張りシート（ポリオレフィン製樹脂フィルム）の内側に設置した。そうしたところ、暑さによる生育不良すなわち高温障害を生じることなく、収穫することができた。
【００３７】
また、雨除けハウス内の夏秋取りトマトの簡易遮光資材としても同様にしたところ、裂果の無い良好な品質のトマトを収穫することができた。
【００３８】
（比較例１）
実施例１の補助シートの代わりに、実施例１において対象としたトンネルフィルムに、日除けのための石灰を水で溶いてスプレー噴霧した。そうしたところ、石灰は雨により流れ、このため再度施工する必要が生じた。また、雨上がり後の日差しによって一部のメロンに焼けが生じた。
【００３９】
（比較例２）
実施例１と比べて、補助シートを使用しないことを相違させた。そして、それ以外は実施例１と同じとして、メロンの栽培を行った。そうしたところ、収穫時にほぼすべてのメロンに焼けが生じ、作物としての価値を失ったものとなった。
【符号の説明】
【００４０】
１１    畑地
１４    シート
１７    補助シート
【図１】
2017063644.tif 000003